(57)【要約】【課題】天板が水平な使用位置にある状態で、作業性良く移動可能な状態とすることができ、より確実に位置を微調整可能なテーブルを提供することを目的とする。【解決手段】天板２の下方に挿通孔３４ｆが形成されており、挿通孔３４ｆに挿通された微調整キー７８に、微調整レバー７０が、この微調整キー７８を中心として回動可能に支持されている。また、微調整キー７８を中心として揺動される他端は、ユーザにより天板２の下方に垂下された位置から天板２の側端縁近傍まで引き上げ可能に構成されている。そして、微調整レバー７０が操作されると、微調整レバー７０が微調整キー７８を中心に揺動されるのに伴い、リンク部材７２等により、フロート連動パイプ８２が回転される。また、フロート連動パイプ８２の回転に伴い、昇降機構２０により、キャスタ１０が脚部４の下端から下方に突出されて床面に接地され、移動机１が床面上を移動可能となる。【選択図】図１
2008104793.tif 000002
【特許請求の範囲】
【請求項１】
天板と、
該天板を水平な使用位置に支持する脚部と、
を備えたテーブルであって、
前記脚部の下方に該脚部に対して上下動可能に設けられたキャスタと、
前記脚部の上方に前記天板と略平行となるよう配置されると共に、該脚部に自己の中心軸周りに回動可能に設けられた棒状部材と、
該棒状部材に連結され、該棒状部材の回動に伴い前記キャスタを上下動させる昇降機構と、
前記天板の下方に設けられたレバー支持部と、
一端が前記棒状部材と平行なレバー回動軸を中心として回動可能に前記レバー支持部に支持されており、該レバー回動軸を中心として揺動される他端を、外部操作により前記天板の下方に垂下された位置から前記天板の側端縁近傍まで引き上げ可能に構成された操作レバーと、
前記操作レバー及び前記棒状部材に連結されて前記操作レバーが前記レバー回動軸を中心に揺動されるのに伴い、前記棒状部材を回動させるリンク機構と、
を備え、
前記昇降機構は、前記操作レバーが引き上げられた際に、前記キャスタを、前記脚部の下端から下方に突出させて床面に接地させ、当該テーブルを床面上で移動可能にすることを特徴とするテーブル。
【請求項２】
前記リンク機構は、
前記レバー支持部における前記操作レバーの支持位置を通り、前記レバー回動軸と直交する直線上で前記棒状部材の周囲に固定され、該棒状部材の回動に伴い回動される微調整カムと、
一端が前記微調整カムに揺動可能に連結され、他端が、前記操作レバーのレバー支持部側の端部に揺動可能に連結される長尺状のリンク部材と、
からなることを特徴とする請求項１に記載のテーブル。
【請求項３】
前記操作レバー及び前記リンク機構は複数設けられており、
複数の前記リンク機構は同じ棒状部材に連結されたことを特徴とする請求項２に記載のテーブル。
【請求項４】
前記リンク部材の一端には該リンク部材の長手方向に沿って長孔が形成されていると共に、該リンク部材は、前記微調整カムに結合されたピンが、前記長孔に挿通されることにより前記微調整カムに揺動可能に連結されており、
前記リンク部材に連結された操作レバーとは異なる他の操作レバーが操作され、前記棒状部材が回動されることに伴い前記微調整カムが回動された際に、前記長孔内を前記ピンが摺動されることを特徴とする請求項３に記載のテーブル。
【請求項５】
前記リンク機構は、前記棒状部材の上方で前記棒状部材に連結されたことを特徴とする請求項１〜請求項４の何れかに記載のテーブル。
【請求項６】
前記天板は、前記水平な使用位置と略垂直な収納位置との間で前記棒状部材を中心として回動可能に前記脚部に支持されており、
前記棒状部材は、前記天板の回動に伴い、前記リンク機構を介して回動され、
前記昇降機構は、前記天板が前記収納位置に回転された際に、前記キャスタを、前記脚部の下端から下方に突出させて床面に接地させ、当該テーブルを床面上で移動可能にすることを特徴とする請求項１〜請求項５の何れかに記載のテーブル。
【請求項７】
前記リンク機構は、前記操作レバーが引き上げられた際に回転される前記棒状部材の回転角度が、前記天板が前記使用位置から前記収納位置へ回転されたことにより回転される前記棒状部材の回転角度よりも小さくなるように、前記微調整カムと前記操作レバーとに連結されたことを特徴とする請求項６に記載のテーブル。
【請求項８】
前記天板の下方には、前記棒状部材が挿通される円筒状の軸挿通部が設けられ、
前記脚部の上方には、前記軸挿通部を該軸挿通部の軸周りに回動可能に支持する受け部が設けられ、
前記天板は、前記軸挿通部が前記受け部に支持されることにより、前記軸挿通部に挿通された棒状部材を中心として回動可能に前記脚部に支持されることを特徴とする請求項６または請求項７に記載のテーブル。
【発明の詳細な説明】
【技術分野】
【０００１】
本発明は、必要時にキャスタを床面に接地させることで、位置を微調整可能なテーブルに関するものである。
【背景技術】
【０００２】
従来より、机の脚部に上下動可能なキャスタを備え、机の移動時にはキャスタを床面に接地させて移動可能とし、机の使用時には、キャスタを上方に移動させて机が移動しないように構成した移動机が知られている。
【０００３】
そして、このような移動机として、天板が机の左右方向を軸として回動可能に設けられ、天板の回動に伴い、キャスタが上下動されるものがあり、天板を略鉛直な収納位置から水平な使用位置に回転させると、キャスタが上方に移動し、天板を使用位置から収納位置に回転させると、キャスタが下方に移動するように構成されている。
【０００４】
しかしながら、このような移動机においては、机を移動させるときは、天板を収納位置に回転させなければならず、天板が水平な状態で机を移動させることはできなかった。このため、机の移動中は、天板を水平な状態にした場合にどこに天板の端がくるのかがはっきりせず、例えば、隣に並べた机と確実に位置を合わせることは困難であった。そこで、上記問題を解決するために、天板の下方に、キャスタと連結されたレバーを設け、このレバーを操作することにより、天板を収納位置に回転させることなくキャスタを上下動させる移動机が提案されている（例えば、特許文献１参照）。
【特許文献１】特許第３５４６９６９号公報
【発明の開示】
【発明が解決しようとする課題】
【０００５】
しかしながら、上記移動机においては、レバーが天板の下方に設けられており、レバーを着席側から奧の方へ操作しなければならないため、レバーの操作と、机の移動とを同時に行うことができなかった。つまり、天板が水平な状態で机を移動させるためには、まず、レバーを操作してキャスタを下方に移動させ、キャスタを接地した状態に一旦固定し、この状態で机を所定の位置へ移動させた後に、再びレバーを操作してキャスタが接地された状態を解除し、脚部を床面上で固定する、という手順を行なわなければならず、作業性が悪かった。また、一旦机を移動させた後にレバーを操作する際に、机が調整した位置から移動してしまうこともあった。
【０００６】
本発明は、天板が水平な使用位置にある状態で、作業性良く移動可能な状態とすることができ、より確実に位置を微調整可能なテーブルを提供することを目的とする。
【課題を解決するための手段】
【０００７】
かかる目的を達成するためになされた請求項１に記載の発明は、
天板と、
該天板を水平な使用位置に支持する脚部と、
を備えたテーブルであって、
前記脚部の下方に該脚部に対して上下動可能に設けられたキャスタと、
前記脚部の上方に前記天板と略平行となるよう配置されると共に、該脚部に自己の中心軸周りに回動可能に設けられた棒状部材と、
該棒状部材に連結され、該棒状部材の回動に伴い前記キャスタを上下動させる昇降機構と、
前記天板の下方に設けられたレバー支持部と、
一端が前記棒状部材と平行なレバー回動軸を中心として回動可能に前記レバー支持部に支持されており、該レバー回動軸を中心として揺動される他端を、外部操作により前記天板の下方に垂下された位置から前記天板の側端縁近傍まで引き上げ可能に構成された操作レバーと、
前記操作レバー及び前記棒状部材に連結されて前記操作レバーが前記レバー回動軸を中心に揺動されるのに伴い、前記棒状部材を回動させるリンク機構と、
を備え、
前記昇降機構は、前記操作レバーが引き上げられた際に、前記キャスタを、前記脚部の下端から下方に突出させて床面に接地させ、当該テーブルを床面上で移動可能にすることを特徴とする。
【０００８】
このように、本発明のテーブルにおいては、天板の下方にレバー支持部が設けられており、このレバー支持部に、操作レバーが棒状部材と平行なレバー回動軸を中心として回動可能に支持されている。
【０００９】
そして、操作レバーが、外部操作により天板の下方に垂下された位置から天板の側端縁近傍まで引き上げられると、操作レバーがレバー回動軸を中心に揺動されるのに伴い、リンク機構により棒状部材が回転される。また、棒状部材の回転に伴い、昇降機構によりキャスタが脚部の下端から下方に突出されて床面に接地され、当該テーブルが床面上で移動可能となる。
【００１０】
従って、本発明の移動机によれば、操作レバーを天板の側端縁近傍まで引き上げるだけで、キャスタが床面に接地され、テーブルが床面上で移動可能となるので、ユーザは、天板が水平な使用位置にある状態で、作業性良く机を移動させることができ、より確実に位置を微調整することができる。
【００１１】
次に、請求項２に記載の発明は、請求項１に記載のテーブルにおいて、リンク機構は、レバー支持部における操作レバーの支持位置を通ると共にレバー回動軸と直交する直線上で棒状部材の周囲に固定され、棒状部材の回動に伴い回動される微調整カムと、一端が微調整カムに揺動可能に連結され、他端が操作レバーのレバー支持部側の端部に揺動可能に連結される長尺状のリンク部材と、から構成されたことを特徴とする。
【００１２】
つまり、請求項２に記載のテーブルにおいては、微調整カムが、レバー支持部における操作レバーの支持位置を通ると共にレバー回動軸と直交する直線上で棒状部材の周囲に固定されている、つまり、微調整カムと操作レバーとが直線状に配置されるので、微調整カムと操作レバーとを連結するリンク部材を単純な長尺状の部材とすることができ、単純に、しかも、天板下のわずかなスペースでリンク機構を構成できる。よって、リンク機構が、テーブルを使用する人の邪魔になることを防止でき、外観上も良好とすることができる。
【００１３】
また、請求項２に記載のテーブルは、請求項３に記載のように、操作レバー及びリンク機構を複数設け、複数のリンク機構を同じ棒状部材に連結するように構成してもよい。
そして、請求項３に記載のテーブルによれば、操作レバーが複数設けられており、各操作レバーはリンク機構を介して同じ棒状部材に連結されているので、ユーザはどの操作レバーを操作してもテーブルを移動できるようにすることができ、操作レバーの位置を気にすることなく、より容易にテーブルの位置を微調整することができる。
【００１４】
一方、請求項４に記載の発明は、請求項３に記載のテーブルにおいて、リンク部材の一端にはこのリンク部材の長手方向に沿って長孔が形成されていると共に、このリンク部材は、微調整カムに結合されたピンが長孔に挿通されることにより微調整カムに揺動可能に連結されている。また、リンク部材に連結された操作レバーとは異なる他の操作レバーが操作され、棒状部材が回動されることに伴い微調整カムが回動された際に、長孔内をピンが摺動される。
【００１５】
従って、請求項４に記載のテーブルによれば、他の操作レバーの操作により棒状部材が回動された際には、この棒状部材と共に回動される微調整カムに結合されたピンは、リンク部材に形成された長孔内を摺動するので、微調整カムからリンク部材に力が伝達されず、このリンク部材に連結された操作レバー、つまり、外部から操作されていない操作レバーを動かないようにすることができる。
【００１６】
次に、請求項１〜請求項４に記載の発明は、請求項５に記載のように、リンク機構を、棒状部材の上方で棒状部材と連結するように構成することが好ましく、このようにすれば、リンク機構が棒状部材の上方、つまり、天板と棒状部材との間で棒状部材に連結されるので、リンク機構を天板直下のスペースにコンパクトに納めることができる。
【００１７】
一方、請求項６に記載の発明は、請求項１〜請求項５の何れかに記載のテーブルにおいて、天板は、水平な使用位置と略垂直な収納位置との間で棒状部材を中心として回動可能に脚部に支持されており、棒状部材は、天板の回動に伴い、リンク機構を介して回動されるように構成されている。また、昇降機構は、天板が収納位置に回転された際に、キャスタを、脚部の下端から下方に突出させて床面に接地させ、当該テーブルを床面上で移動可能にする。
【００１８】
従って、請求項６に記載のテーブルによれば、昇降機構を上下動させるための棒状部材を中心として、天板を使用位置と収納位置との間で回動させることができる。また、天板を使用位置から収納位置に回転させた場合にも棒状部材が回転されるので、操作レバーを操作したときに加え、天板が収納位置にあるときにも、テーブルを床面上で移動可能とすることができる。
【００１９】
また、請求項６に記載のテーブルは、請求項７に記載のように、操作レバーが引き上げられた際に回転される棒状部材の回転角度が、天板が使用位置から収納位置へ回転されたことにより回転される棒状部材の回転角度よりも小さくなるように、リンク機構を、微調整カムと操作レバーとに連結するようにしてもよい。
【００２０】
そして、請求項７に記載のテーブルによれば、操作レバーを引き上げるときには、天板を収納位置に回転させたときより棒状部材の回転角度が小さいので、操作レバーを引き上げるときには、天板を収納位置に回転させるときよりも、小さい力で作業することができる。
【００２１】
ところで、天板を、棒状部材を中心として回動させるためには、天板を棒状部材で直接支持することもできるが、天板の自重により棒状部材に上方から負荷がかかる。このため、操作レバーにより棒状部材を回転させようとする際に、天板と棒状部材との間に摩擦が発生し、操作レバーが重くなることがある。
【００２２】
そこで、請求項６または請求項７に記載のテーブルは、請求項８に記載のように、棒状部材が挿通される円筒状の軸挿通部を天板の下方に設けると共に、この軸挿通部を軸挿通部の軸周りに回動可能に支持する受け部を脚部の上方に設け、天板は、軸挿通部が受け部に支持されることにより、軸挿通部に挿通された棒状部材を中心として回動可能に脚部に支持されるように構成するとよい。
【００２３】
このようにすれば、天板２は軸挿通部を介して棒状部材を中心として回動可能に支持されるので、棒状部材に直接天板の自重による負荷がかかることがなく、ユーザがテーブルの位置の微調整を行う際には、容易に操作レバーを操作することができる。
【発明を実施するための最良の形態】
【００２４】
以下に本発明の実施形態を図面と共に説明する。
図１は、本実施形態の移動机１の外観を示す側面図、図２は、天板支持部３０の詳細を示す分解斜視図、図３（ａ）は、脚部４の外観を示す斜視図、図３（ｂ）は、脚部４の外観を示す分解斜視図、図４は、連動機構の構成を示す分解斜視図である。
【００２５】
本実施形態の移動机１は、天板２が水平な使用位置にある場合に床面上で固定され、天板２が略垂直な収納位置にある場合に床面上を移動可能に構成されたものであり、長方形の板材からなる天板２と、天板２の長手方向の両端の下方に設けられ、天板支持部３０を介して天板２を使用位置と収納位置との間で回動可能に支持すると共に、下方に一対のキャスタ１０を夫々備えた一対の脚部４と、脚部４の内部に設けられ、天板２が収納位置にあるとき、または、後述する微調整レバー７０が操作されたときに脚部４の下方にキャスタ１０を突出させ移動机１の移動を可能とするための昇降機構２０と、を備えている。なお、以下、天板２の長手方向を移動机１の左右方向、この方向に直交する方向を前後方向とし、着席側を移動机１の後方（図１の右方）、反対側を移動机１の前方として説明する。
【００２６】
脚部４は、図１〜図３に示すように、天板２を上方で支持する脚柱６と、脚柱６の下端に前後方向に幅を持って設けられた脚座８と、から構成されており、一対の脚部４は、脚柱６の上方に設けられた框パイプ１４で連結されている。
【００２７】
脚柱６は、断面長方形の管状の長尺部材からなり、上端をやや後方に傾けて上下方向に配置されている。そして、脚柱６の上端において、移動机１の内側に配置される側壁には、天板支持部３０を、左右方向を軸として回動可能に支持するためのボス受け部６ａが形成されている。また、その下方には、框パイプ１４の両端に溶接された框プレート１６をねじ固定するためのねじ孔６ｂが２箇所に形成されている。
【００２８】
ここで、框プレート１６は、図４に示すように、略長方形の金属の板材であり、脚柱６に固定された際に、上記ボス受け部６ａと重なる位置に挿通孔１６ａが形成されている。また、その下方には、脚柱６への固定に使用される挿通孔１６ｂが２箇所に形成されている。そして、一対の框プレート１６が、各脚柱６のねじ孔６ｂに夫々ボルト１８にて締結されることにより、一対の脚柱６が連結されている。
【００２９】
また、框プレート１６の框パイプ１４が溶接された側の面において、挿通孔１６ａの上方には、天板２が使用位置または収納位置にあるときに、後述するロックプレート５４の係合溝５４ａに係合される第１凸部１６ｃ及び第２凸部１６ｄが突出されている。また、框プレート１６の前方側の上端には、後述する軸受け金具３６に係合して天板２を使用位置に位置決めするための窪み１６ｅが形成されている。
【００３０】
脚座８は、下方が開放された直方体の箱状に形成された脚座本体８ｂと、脚座本体８ｂの前端及び後端の下部に設けられたアジャスタ８ａと、から構成されている。
アジャスタ８ａは、ねじの嵌合量により脚座８の床面に対する高さを調整するためのものであり、脚座８は、各脚座本体８ｂに２つずつ設けられた４つのアジャスタ８ａにて床面に接地されている。一方、脚座本体８ｂの前後方向の中央部には、左右一対の側壁を貫通するように、昇降機構２０の一部を支持するためのピン孔８ｃが３箇所に形成されている。
【００３１】
天板支持部３０は、図２及び図４に示すように、天板２の下方に左右方向に渡された２本の金属製の角パイプ３２と、この角パイプの両端に夫々溶接され、天板２を下方から支持するための一対の天板受け金具３４と、この天板受け金具３４に固定されると共に、その一部が脚柱６に形成されたボス受け部６ａに挿通されて、左右方向を軸として脚柱６に回動可能に支持される軸受け金具３６と、を備えている。
【００３２】
また、天板支持部３０には、天板２を使用位置または収納位置で固定するためのロック装置と、天板２が使用位置と収納位置との間で回動されたとき、また、天板２が使用位置で固定された状態で微調整レバー７０が操作されたときに、昇降機構２０を上下動させるための連動機構と、が設けられている。
【００３３】
天板受け金具３４は、金属の板材が、断面がコの字状となるように折り曲げられて形成されている。そして、平行な一対の第１平面部３４ｄのうち内側に配置される第１平面部３４ｄには、２本の角パイプ３２の端部が夫々溶接されており、この角パイプ３２にて左右の天板受け金具３４が連結されている。
【００３４】
また、天板受け金具３４は、第２平面部３４ｅに形成された挿通孔３４ａに、ねじ３２ｂが挿通されて、天板２の下面側にねじ固定されており、第１平面部３４ｄが、移動机１の前後方向に沿って天板２に対して垂直となるように配置されている。
【００３５】
そして、天板受け金具３４の前後方向の中央部には、一対の第１平面部３４ｄを貫通するように、ロック装置を支持するための挿通孔３４ｃが形成されており、また、外側の第１平面部３４ｄには軸受け金具３６を固定するための挿通孔３４ｂが２箇所に形成されている。さらに、天板受け金具３４の後端側には、一対の第１平面部３４ｄを貫通するように微調整レバー７０を固定するための挿通孔３４ｆが、形成されている。
【００３６】
一方、角パイプ３２には、天板２に取り付けるための挿通孔３２ｃが形成されており、この挿通孔３２ｃに、ねじ３２ａが挿通されて、天板２の下面側にねじ固定されている。
軸受け金具３６は、下方の幅が狭い略台形の金属の板材であり、上端側の前後に各１箇所ずつ形成された挿通孔３６ｃにより、天板受け金具３４の外側に配置された第１平面部３４ｄに対し、外側からボルト３８及びナット４０にて固定されている。また、上記挿通孔３６ｃの間には、ロック装置を支持するための挿通孔３６ｄも形成されている。
【００３７】
一方、軸受け金具３６の天板受け金具３４への取付面とは反対側の面（つまり、外側に配置される面）からは、脚柱６のボス受け部６ａに挿通可能で、且つ、内部に後述するフロート連動パイプ８２を挿通可能な径に形成された筒状の軸受けボス３６ａが突出されている。さらに同じ面からは、框プレート１６の窪み１６ｅに係合可能な凸部３６ｂが突出されており、天板２が使用位置にあるときに、凸部３６ｂが窪み１６ｅに前方から係合することで、天板２が使用位置に位置決めされる。
【００３８】
ロック装置は、天板２が使用位置及び収納位置にあるときに、天板２が脚部４に対して回転しないように天板２を固定するためのものであり、操作用のロックレバー５２と、ロックレバー５２を左右方向を軸として回動可能に天板支持部３０に取り付けるためのロックバー５８と、ロックバー５８に固定されてロックレバー５２と共に回動し、天板２が使用位置または収納位置にあるときに、係合溝５４ａにて框プレート１６の第１凸部１６ｃまたは第２凸部１６ｄの何れかに係合するロックプレート５４と、ロックプレート５４を、第１凸部１６ｃまたは第２凸部１６ｄに係合する方向に付勢するコイルスプリング６６と、から構成されている。
【００３９】
ロックバー５８は、端部が互いに逆方向に直角に折り曲げられた棒状部材からなり、一端側の直線部でロックレバー５２にボルト５６にて固定されている。そして、ロックレバー５２が固定された側と反対側の直線部には、この直線部に対して垂直にロックプレート５４が溶接されており、この直線部の端部は、軸受け金具３６に形成された挿通孔３６ｄ及び天板受け金具３４に形成された挿通孔３４ｃに挿通されて、この直線部周りに回動可能に天板支持部３０に支持される。
【００４０】
また、ロックバー５８の天板受け金具３４に挿通された側の端部には、この天板受け金具３４に対して回動しないように固定されたコイルスプリング６６が挿通されている。そして、ロックプレート５４の係合溝５４ａが第１凸部１６ｃまたは第２凸部１６ｄに係合された際に、コイルスプリング６６により係合状態を保持する方向にロックプレート５４が付勢され、天板２が脚部４に対して確実に固定される。一方、ロックレバー５２を、コイルスプリング６６の付勢力に抗して天板２側に引き上げ操作することにより、ロックプレート５４と、第１凸部１６ｃまたは第２凸部１６ｄとの係合が解除され、天板２を脚部４に対して回転可能とすることができる。
【００４１】
なお、このロック装置は、移動机１の左右両側に設けられていると共に、左右夫々の天板受け金具３４に挿通された一対のロックバー５８は、その端部にて、天板２の下方に左右方向に渡されたロック連動パイプ６０に夫々ボルト６２及びナット６４にて固定されている。このため、片方のロックレバー５２を操作することにより、両方のロック装置、つまり、両方のロックプレート５４と第１凸部１６ｃまたは第２凸部１６ｄとの係合を解除することができる。
【００４２】
次に、連動機構について説明する。連動機構は、図４に示すように、主に、天板２の下方、且つ、後方側の左右の端縁付近に夫々設けられた一対の微調整レバー７０と、各微調整レバー７０を天板受け金具３４に連結するための微調整キー７８及びボルト８０と、この微調整キー７８が挿通されて微調整キー７８と一体に回動される回転金具７４と、天板２の下方において、左右方向に水平配置されたフロート連動パイプ８２と、フロート連動パイプ８２と昇降機構２０とを連結するフロートキー９２と、フロート連動パイプ８２の周囲に固定される微調整カム７６と、回転金具７４を介して微調整レバー７０と微調整カム７６とを連結するリンク部材７２と、から構成されている。
【００４３】
微調整レバー７０は、一対の平行な棒状のレバー部７０ａを有するコの字状に樹脂材料にて形成されている。そして、一対のレバー部７０ａの端部には、この一対のレバー部７０ａを貫通するように微調整キー７８が係合可能な小判状の係止孔７０ｂが夫々形成されており、各レバー部７０ａの外側の面からは、微調整キー７８の両端に螺合されるボルト８０用のざぐり７０ｃが夫々形成されている。
【００４４】
微調整キー７８は、断面が小判状に形成された棒状部材であり、その両端面からねじ孔７８ａが形成されている。
回転金具７４は、金属の板材を折り曲げて形成された断面コの字状の部材であり、平行な一対の第１平面部７４ａには、各第１平面部７４ａを貫通するように微調整キー７８が係合可能な小判状の係止孔７４ｂと、リンク部材７２を軸支するためのピン８８の端部が係止されるピン孔７４ｃと、が形成されている。
【００４５】
フロート連動パイプ８２は、断面が円形の管状部材であり、微調整カム７６及びフロートキー９２との結合に使用される挿通孔８２ａが、軸方向に直交する方向に貫通するように形成されている。
【００４６】
フロートキー９２は、断面が小判状に形成された棒状部材であり、一端側の端部には他の部分よりもわずかに細い円柱部９２ｂが形成されている。そして、円柱部９２ｂの端面からは、ボルト９４が螺合可能なねじ孔が形成されている。また、他端側の端面からは、フロート連動パイプ８２内に貫通されるボルト８４が係合可能な幅の係合溝９２ａが形成されている。
【００４７】
微調整カム７６は、金属の板材を折り曲げて形成された断面コの字状の部材であり、平行な一対の第１平面部７６ａには、各第１平面部７６ａを貫通するようにフロート連動パイプ８２が挿通可能な係合孔７６ｃと、リンク部材７２を軸支するためのピン９０が係止されるピン孔７６ｄと、が形成されている。また、一対の第１平面部７６ａを接続する第２平面部７６ｂには、ボルト８４を挿通可能な挿通孔（図示なし）が形成されている。
【００４８】
リンク部材７２は、金属の板材を折り曲げて形成された断面コの字状の長尺部材であり、平行な一対の第１平面部７２ａは、その両端側で、第１平面部７２ａを接続する第２平面部７２ｂよりも延出されている。そして、リンク部材７２の一端側に延出された一対の第１平面部７２ａ（以下、第１延出部ともいう）には、ピン８８が挿通される挿通孔７２ｃが各第１平面部７２ａを貫通するように形成されており、他端側に延出された一対の第１平面部７２ａ（以下、第２延出部ともいう）には、ピン９０が挿通可能な長孔７２ｄがリンク部材７２の長手方向に沿って、各第１平面部７２ａを貫通するように形成されている。
【００４９】
そして、図４（ｂ）に示すように、微調整カム７６の係合孔７６ｃにフロート連動パイプ８２が挿通され、微調整カム７６の第２平面部７６ｂに形成された挿通孔と、フロート連動パイプ８２に形成された挿通孔８２ａと、が直線状となる位置に配置される。そして、この状態でボルト８４が各挿通孔に挿通されて、反対側からナット８６が締結されることにより、微調整カム７６とフロート連動パイプ８２とが結合される。
【００５０】
また、微調整カム７６は、一対の第１平面部７６ａと、リンク部材７２の第１平面部７２ａとが平行となるように、リンク部材７２の第２延出部の内側に配置されると共に、微調整カム７６のピン孔７６ｄ及びリンク部材７２の長孔７２ｄにピン９０が挿通され、リンク部材７２が、微調整カム７６に対して揺動可能に連結される。
【００５１】
一方、リンク部材７２の第１延出部側には、回転金具７４が、その第１平面部７４ａを第１平面部７２ａと平行とするように第１延出部の外側に配置されると共に、回転金具７４のピン孔７４ｃ及びリンク部材７２の挿通孔７２ｃにピン８８が挿通され、リンク部材７２が、回転金具７４に対して揺動可能に連結される。
【００５２】
次に、フロート連動パイプ８２を軸受け金具３６に設けられた軸受けボス３６ａに挿通し、リンク部材７２が天板受け金具３４の直下にくるように配置する。そして、回転金具７４を、係止孔７４ｂと天板受け金具３４に形成された挿通孔３４ｆとが直線上に並ぶように一対の第１平面部３４ｄの内側に配置した状態で、微調整キー７８を挿通孔３４ｆ及び係止孔７４ｂに挿通する。
【００５３】
一方、微調整レバー７０をその一対のレバー部７０ａが、天板受け金具３４の一対の第１平面部３４ｄの外側にくるように配置すると共に、微調整キー７８の両端部を、微調整レバー７０の係止孔７０ｂに挿入し、さらに、ボルト８０を微調整キー７８の両端に形成されたねじ孔７８ａに螺合して微調整レバー７０を天板受け金具３４に対して揺動可能に連結する。
【００５４】
また、フロートキー９２は、係合溝９２ａが形成された側の端部からフロート連動パイプ８２の内部に挿入されて、図４（ｂ）に示すように、係合溝９２ａが、ボルト８４に係合され、フロートキー９２とフロート連動パイプ８２とが一体に回動可能に連結される。
【００５５】
次に、昇降機構２０について説明する。図５（ａ）は、昇降機構２０の構成を示す斜視図であり、図５（ｂ）は、昇降機構２０の構成を示す分解斜視図である。
昇降機構２０は、図５に示すように、フロートキー９２に結合される昇降カム９６と、一端が昇降カム９６に揺動可能に連結されたロッド９８と、一端がロッド９８の揺動端に揺動可能に連結されるテコ１０４と、テコ１０４のロッド９８と連結された端部と反対側の端部に連結される浮動脚１０６と、浮動脚１０６の両端に夫々設けられた２個のフロートリンク１０８と、から構成されている。
【００５６】
昇降カム９６は、金属の板材を折り曲げて形成された断面コの字状の部材であり、平行な一対の第１平面部９６ａを貫通するように、フロートキー９２が係合可能な小判状の係止孔９６ｃと、ピン孔９６ｄと、が形成されている。ここで、小判状の係止孔９６ｃは、その平行な一対の辺が、一対の第１平面部９６ａを接続する第２平面部９６ｂと平行となるように形成されている。
【００５７】
ロッド９８は、脚柱６と略同じ長さの管状部材であり、両端に軸と直交する方向に挿通孔９８ａ，９８ｂが形成されており、一端側は、ピン孔９６ｂ及び挿通孔９８ａにピン１００が挿通されることにより、ピン１００に軸支されている。
【００５８】
テコ１０４は、金属の板材を折り曲げて形成された断面コの字状の長尺部材であり、その一端側には、平行な一対の第１平面部１０４ａを貫通するようにピン孔１０４ｂが形成されており、第１平面部９６ａの内側にロッド９８の端部が配置された状態で、ピン孔１０４ｂ及び挿通孔９８ｂにピン１０２が挿通され、ピン１０２に軸支されている。
【００５９】
また、テコ１０４のピン１０２に軸支される側と反対側の端部及び中央部には、一対の第１平面部１０４ａを貫通するように浮動脚１０６と連結するためのピン１１０が挿通される挿通孔１０４ｃと、脚座８と連結するためのピン１１４が係合されるピン孔１０４ｄが形成されている。
【００６０】
浮動脚１０６は、金属の板材を折り曲げて形成された断面コの字状の長尺部材であり、開口側を上方にして配置される。そして、一対の平行な第１平面部１０６ａを接続する第２平面部１０６ｂの外側の面（つまり、下方側の面）の両端には、キャスタ１０が結合されている。
【００６１】
また、一対の第１平面部１０６ａの両端にはピン１１２により、ピン１１２周りに揺動可能にフロートリンク１０８が連結されている。そして、浮動脚１０６の一対の第１平面部１０６ａの内側に、テコ１０４のロッド９８が連結された側と反対側の端部が配置され、浮動脚１０６の中央部よりやや一端側にずれた位置に形成されたピン孔１０６ｃ及びテコ１０４に形成された挿通孔１０４ｃにピン１１０が挿通されて、浮動脚１０６がピン１１０に軸支されている。
【００６２】
このように連結された昇降機構２０は、図３（ｂ）に示すように、浮動脚１０６の一対の第１平面部１０６ａが、脚座８の前後方向に延びる側壁と平行になるように、且つ、テコ１０４が連結された側を前方にして、脚座８の下方から、脚部４（つまり、脚柱６及び脚座８）の内部に配置される。そして、脚座８に形成された３箇所のピン孔８ｃの夫々と、テコ１０４に形成された挿通孔１０４ｂ及びフロートリンク１０８に形成されたピン孔１０８ａにピン１１４が嵌合されて、浮動脚１０６が、脚座８に対して上下動可能に連結される。
【００６３】
また、軸受け金具３６に形成された軸受けボス３６ａが、框プレート１６に形成された挿通孔１６ａ及び脚柱６の上方に形成されたボス受け部６ａに挿通され、天板支持部３０、ひいては、天板２が脚柱６に対して回動可能に支持される。また、軸受けボス３６ａを貫通して突出されたフロートキー９２が、脚柱６の内部に配置された昇降カム９６の係止孔９６ｃに対して挿通され、フロートキー９２と、昇降カム９６とが一体に回動可能に連結される。
【００６４】
なお、脚柱６の外側の側壁には、ボス受け部６ａと対向する位置にフロートキー９２の円柱部９２ｂが係合可能な径の係合孔（図示なし）が形成されている。そして、フロートキー９２の円柱部９２ｂが、この係合孔に挿通され、脚柱６の外側からボルト９４が螺合されることにより、フロートキー９２は、脚柱６に自己の軸周りに回動可能に支持される。
【００６５】
次に、この移動机１の使用時の動作について説明する。図６（ａ）は、天板２が使用位置にあるときの移動机１を後方から見た正面図（図１の矢視図Ａ）、図６（ｂ）は、天板２が使用位置にあるときの昇降カム９６の回動位置を示す断面図（図６（ａ）の断面図Ｂ−Ｂ）、図６（ｃ）は、天板２が使用位置にあるときの微調整カム７６の回動位置を示す断面図（図６（ａ）の断面図Ｃ−Ｃ）、図７（ａ）は、天板２が収納位置にあるときの移動机１の側面図、図７（ｂ）は、天板２が収納位置にあるときの昇降カム９６の回動位置を示す断面図、図７（ｃ）は、天板２が収納位置にあるときの微調整カム７６の回動位置を示す断面図、図８（ａ）は、微調整レバー７０が操作されたときの移動机１の側面図、図８（ｂ）は、微調整レバー７０が操作されたときの昇降カム９６の回動位置を示す断面図、図８（ｃ）は、微調整レバー７０が操作された側の微調整カム７６とリンク部材７２との位置関係を示す詳細図、図８（ｄ）は、微調整レバー７０が操作されていない側の微調整カム７６とリンク部材７２との位置関係を示す詳細図である。なお、図６（ａ）においては、各部品の配置を分かり易くするために、微調整レバー７０と、ロック装置の一部とを省略している。また、図７及び図８の断面図は、図６の断面図と同様に、図６（ａ）における断面Ｂまたは断面Ｃの位置で切断した図である。
【００６６】
本実施形態の移動机１において、天板２が水平な使用位置にある場合には、図６（ｂ）に示すように、小判状のフロートキー９２の平行な一対の側面、つまり、昇降カム９６の第２平面部９６ｂが、床面に対して垂直に配置され、ロッド９８との連結点であるピン１００は、昇降カム９６の回動中心（つまり、フロートキー９２の中心）の下方に配置されている。そして、このとき、ロッド９８は、脚柱６の内部で最も下方に位置し、一方、浮動脚１０６は、テコ１０４を介して、脚座８の内部で最も上方に位置し、キャスタ１０が床面から離間されている。よって、移動机１は、天板２が使用位置にあるときに移動しないように固定される。
【００６７】
なお、天板２が水平な使用位置にある状態で、微調整カム７６の第２平面部７６ｂは、図６（ｃ）に示すように、床面に対して垂直に配置（つまり、ボルト８４が水平に配置）され、ピン９０が、リンク部材７２に形成された長孔７２ｄの後方側の端部に係合される。
【００６８】
そして、天板２を使用位置から収納位置に回転させる際には、まず、ロックレバー５２を、図１の矢印に示すように、コイルスプリング６６の付勢力に抗して天板２側に操作することにより、框プレート１６の第１凸部１６ｃとロックプレート５４の係合溝５４ａとの係合を解除し、天板２を回転可能とする。
【００６９】
次に、ロックレバー５２を操作した状態で天板２を上方に押し上げて、図７（ａ）に示す略垂直な（本実施形態では床面となす角度が約８０度）収納位置に回転させると、回転金具７４を介して、リンク部材７２が、天板２の回転中心、つまり、フロート連動パイプ８２を中心として回転し、図７（ｃ）に示すように、長孔７２ｄの一端に係合されたピン９０を介して微調整カム７６が、天板２と共に時計と反対回りに回転する。また、微調整カム７６の回転に伴い、フロート連動パイプ８２、フロートキー９２、及び、昇降カム９６が一体に回転し、さらに、図７（ｂ）に示すように、ロッド９８との連結点であるピン１００の位置も回転して、ピン１００が、昇降カム９６の回動中心の略右側に配置される。
【００７０】
そして、このときロッド９８は、脚柱６の内部で最も下方の位置から最も上方に位置に移動し、一方、浮動脚１０６は、テコ１０４を介して脚座８に対して下方に移動し、キャスタ１０が脚座８の下方から突出されて、床面に接地される。
【００７１】
ここで、この移動机１において、キャスタ１０は、天板２の収納位置への回転の途中で床面に接地される。そして、その後、天板２の回転が進むと、キャスタ１０が床面から受ける反発力により、テコ１０４を介して脚座８が上方に移動し、脚座８が床面から離間される。よって、移動机１は、天板２が収納位置にあるときに、床面に接地されたキャスタ１０により移動可能となる。また、天板２が収納位置に移動した際に、ロックプレート５４の係合溝５４ａが、框プレート１６の第２凸部１６ｄに係合し、天板２は収納位置で固定される。
【００７２】
一方、天板２を収納位置から使用位置に回転させる際には、ロックレバー５２を操作して係合を解除しつつ、天板２を押し下げて使用位置に回転させる。このとき、昇降カム９６が天板２と共に時計回りに回転し、ピン１００は、再び昇降カム９６の回動中心の下方に移動する。また、ロッド９８が下方に移動すると共に、テコ１０４を介して浮動脚１０６が脚座８に対して上方に移動し、キャスタ１０が床面から離間される。なお、天板２が使用位置に移動した際に、ロックプレート５４の係合溝５４ａは、再び、框プレート１６の第１凸部１６ｃに係合し、天板２は使用位置で固定される。
【００７３】
また、天板２が使用位置にある状態で、図８（ａ）の矢印に示すように、微調整レバー７０を手動で操作する、つまり、天板２の下方に手を伸ばして微調整レバー７０を垂下された位置から天板２の着席側に引き出す（本実施形態では約１２０度時計と反対回りに回転させる）と、微調整レバー７０の回転に伴い回転金具７４が回転する。なお、微調整レバー７０は、着席側に引き出された状態で天板２の側端縁の近傍に配置されるので、ユーザは、着席側に立った状態で、容易に微調整レバー７０を引き出したままで保持することができると共に、天板２の側端部を掴むことができる。
【００７４】
そして、回転金具７４と共にピン８８が時計と反対回り（つまり、前方）に回転し、リンク部材７２が、このピン８８を介して前方に移動する。また、リンク部材７２が前方に移動するのに伴い、図８（ｃ）に示すように、長孔７２ｄの後方側の端部に係合されていたピン９０が前方に移動し、このピン９０を介して微調整カム７６が、時計と反対回りに回転する。そして、微調整カム７６の回転に伴い、フロート連動パイプ８２、フロートキー９２、及び、昇降カム９６が一体に回転し、さらに、ロッド９８との連結点であるピン１００の位置も回転して、図８（ｂ）に示すように、ピン１００が、昇降カム９６の回動中心の右斜め下方に配置される。なお、このときの昇降カム９６の回転角度が、天板２を使用位置から収納位置に回転させた場合に比べて小さくなるように、微調整レバー７０と、フロート連動パイプ８２とが連結されている。
【００７５】
そして、微調整レバー７０の操作に伴い、ロッド９８は、脚柱６の内部で最も下方の位置から上方に移動し、一方、浮動脚１０６は、テコ１０４を介して脚座８に対して下方に移動し、キャスタ１０が脚座８の下方から突出されて、床面に接地される。ここで、この移動机１において、キャスタ１０は、微調整レバー７０が、図８（ａ）の位置まで完全に引き出される前に、床面に接地される。そして、その後、微調整レバー７０が図８（ａ）の位置まで引き出されると、キャスタ１０が床面から受ける反発力により、テコ１０４を介して脚座８が上方に移動し、脚座８が床面から離間される。よって、移動机１は、微調整レバー７０が操作された状態で、床面に接地されたキャスタ１０により移動可能となる。
【００７６】
一方、微調整レバー７０から手を離すと、脚座８は自重で下方に移動し、テコ１０４を介して浮動脚１０６は上方に移動して、キャスタ１０が床面から離間される。このとき、ロッド９８が下方に移動すると共に、昇降カム９６は時計回りに回転し、ピン１００は、再び昇降カム９６の回動中心の下方に移動する。また、この回転に伴い、微調整カム７６も時計回りに回転し、ピン９０を介してリンク部材７２を後方に移動させるので、ピン８８及び回転金具７４介して微調整レバー７０は、図８（ａ）において想像線にて示す元の位置に回転する。
【００７７】
なお、本実施形態においては、移動机１の左右両側において、微調整レバー７０が、移動机１の左右に渡されたフロート連動パイプ８２に対して、リンク部材７２、微調整カム７６等を介して連結されている。このため、一方の微調整レバー７０を操作することにより、フロート連動パイプ８２を介して微調整レバー７０が操作されていない側の微調整カム７６（以下、連動カムともいう）も回転する。
【００７８】
しかしながら、リンク部材７２には長孔７２ｄが形成されており、図８（ｄ）に示すように、連動カムに結合されたピン９０は、連動カムの回転に伴い長孔７２ｄ内を摺動するので、連動カム側のリンク部材７２には、連動カムの回転により力が加わることがなく、操作されていない微調整レバー７０は回転しない。
【００７９】
以上、説明したように本実施形態の移動机１においては、天板２の下方に設けられた天板受け金具３４の後端部に挿通孔３４ｆが形成されている。また、挿通孔３４ｆに挿通されてフロート連動パイプ８２と平行に配置された微調整キー７８に、微調整レバー７０が、この微調整キー７８を中心として回動可能に支持されており、微調整キー７８を中心として揺動される他端は、ユーザにより天板２の下方に垂下された位置から天板２の着席の側端縁近傍まで引き上げ可能に構成されている。
【００８０】
そして、微調整レバー７０が、ユーザにより天板２の下方に垂下された位置から引き上げられると、微調整レバー７０が微調整キー７８を中心に揺動されるのに伴い、リンク部材７２、回転金具７４及び微調整カム７６等により、フロート連動パイプ８２が回転される。また、フロート連動パイプ８２の回転に伴い、昇降機構２０により、キャスタ１０が脚部４の下端から下方に突出されて床面に接地され、移動机１が床面上で移動可能となる。
【００８１】
従って、本発明の移動机１によれば、ユーザは、微調整レバー７０を引き上げて、移動机１を押したり引いたりすることで、天板２が水平な使用位置にある状態で移動机１を容易に移動させることができ、より確実に位置を調整することができる。
【００８２】
また、本実施形態においては、微調整カム７６が、微調整キー７８を通り、この微調整キー７８と直交する直線上でフロート連動パイプ８２の周囲に固定されている、つまり、微調整カム７６と微調整レバー７０とが直線状に配置されるので、微調整カム７６と微調整レバー７０と、を連結するリンク部材７２を単純な長尺状の部材とすることができ、単純に、しかも、天板２の下方のわずかなスペースで、微調整レバー７０とフロート連動パイプ８２を連結できる。よって、天板支持部３０に設けられた連動機構が、移動机１を使用する人の邪魔になることを防止でき、外観上も良好である。
【００８３】
また、本実施形態のおいては、微調整レバー７０が２箇所に設けられており、各微調整レバー７０は、リンク部材７２、回転金具７４及び微調整カム７６等を介して１本のフロート連動パイプ８２に連結されているので、ユーザはどの微調整レバー７０を操作しても移動机１を移動できるようにすることができ、微調整レバー７０の位置を気にすることなく、移動机１の位置を微調整することができる。
【００８４】
一方、リンク部材７２の一端にはこのリンク部材７２の長手方向に沿って長孔７２ｄが形成されていると共に、このリンク部材７２は、微調整カム７６に結合されたピン９０が長孔７２ｄに挿通されることにより微調整カム７６に揺動可能に連結されている。
【００８５】
よって、他の微調整レバー７０の操作によりフロート連動パイプ８２が回動された際には、このフロート連動パイプ８２と共に回動される微調整カム７６（つまり、連動カム）に結合されたピン９０は、図８（ｄ）に示すように、リンク部材７２に形成された長孔７２ｄ内を摺動するので、微調整カム７６からリンク部材７２に力が伝達されず、このリンク部材７２に連結された微調整レバー７０、つまり、外部から操作されていない微調整レバー７０を動かないようにすることができる。
【００８６】
そして、リンク部材７２は、微調整カム７６を介してフロート連動パイプ８２の上方でフロート連動パイプ８２と連結されている、つまり、リンク部材７２が天板２とフロート連動パイプ８２との間でフロート連動パイプ８２と連結されているので、リンク部材７２、回転金具７４及び微調整カム７６等の連動機構を構成する部材を、天板２直下のスペースにコンパクトに納めることができる。
【００８７】
また、天板２は、フロート連動パイプ８２が内部に挿通された円筒状の軸受けボス３６ａにて、水平な使用位置と略垂直な収納位置との間で回動可能に脚部４に支持されており、
また、フロート連動パイプ８２が挿通される円筒状の軸受けボス３６ａが天板２の下方に設けられた軸受け金具３６に形成されていると共に、この軸受けボス３６ａを、この軸受けボス３６ａの軸周りに回動可能に支持するボス受け部６ａが脚柱６の上方に設けられている。そして、天板２は、軸受けボス３６ａを介してフロート連動パイプ８２を中心として水平な使用位置と略垂直な収納位置との間で回動可能に脚柱６に支持されており、フロート連動パイプ８２は、天板２の回動に伴い、リンク部材７２、回転金具７４及び微調整カム７６等を介して回動されるように構成されている。
【００８８】
よって、本実施形態の移動机１によれば、天板２を使用位置と収納位置との間で回動させることができ、天板２を使用位置と収納位置との間で回動させた場合にフロート連動パイプ８２が回動されるので、微調整レバー７０を操作したときに加え、天板２が収納位置にあるときにも、移動机１を床面上で移動可能とすることができる。
【００８９】
また、フロート連動パイプ８２には軸受けボス３６ａに挿通されているので、天板２の自重による負荷がかかることがなく、ユーザが移動机１の位置の微調整を行う際には、容易に微調整レバー７０を操作することができる。
【００９０】
さらに、微調整レバー７０が操作された際に回転されるフロート連動パイプ８２の回転角度が、天板２が使用位置から収納位置へ回転されたことにより回転されるフロート連動パイプ８２の回転角度よりも小さくなるように、フロート連動パイプ８２と微調整レバー７０とが連結されているので、微調整レバー７０を操作するときには、天板２を収納位置に回転させるときよりも、小さい力で作業することができる。
【００９１】
また、本実施形態の移動机１においては、ユーザが微調整レバー７０から手を離すと、脚座８は自重で下方に移動し、キャスタ１０が自動的に床面から離間されて移動机１が床面上で固定される。つまり、天板２が使用位置にあるときには、ユーザが微調整レバー７０を引き出した状態に保持している間のみ、移動机１を移動可能とすることができるので、ユーザが気づかない状態で不意に机が移動し、ユーザが転倒してしまうようなことを防止できる。
【００９２】
なお、本実施形態においては、移動机１が本発明のテーブルに相当し、フロート連動パイプ８２が本発明の棒状部材に相当し、天板受け金具３４の挿通孔３４ｆが本発明のレバー支持部に相当し、微調整キー７８の軸が本発明のレバー回動軸に相当し、微調整レバー７０が本発明の操作レバーに相当し、軸受けボス３６ａが本発明の軸挿通部に相当し、ボス受け部６ａが本発明の受け部に相当する。
【００９３】
以上、本発明の一実施形態について説明したが、本発明は、種々の形態を採り得ることは言うまでもない。
例えば、上記実施形態においては、微調整レバー７０の操作に伴い、ロッド９８が上方に移動するように構成し、テコ１０４を介して浮動脚１０６を下方に押し下げるように構成したが、微調整レバー７０の操作に伴い、ロッド９８が下方に移動するように構成し、直接浮動脚１０６を下方に押しつける構成としてもよい。
【００９４】
上記実施形態では、微調整レバー７０が引き上げられた際には、図８に示すように、微調整レバー７０の端部は天板２より外側に配置されるが、必ずしも天板２の外側に配置される必要はなく、微調整レバー７０は、天板２の側端縁近傍、例えば、ユーザが机の側に立った状態で、容易に微調整レバー７０を掴むことができ、引き出した状態を保持できる範囲に配置されればよい。
【００９５】
また、上記実施形態においては、リンク部材７２をフロート連動パイプ８２の上方で連結したが、天板下の空間に余裕がある場合には、リンク部材７２をフロート連動パイプ８２の下方で連結してもよい。
【００９６】
一方、上記実施形態においては、天板２を水平な使用位置と、略垂直な使用位置との間で回動可能に構成された移動机に本発明のテーブルを適用したが、天板２は必ずしも回動可能である必要はなく、天板２が水平な位置に固定されたテーブルに本発明を適用することも可能である。
【００９７】
また、上記実施形態においては、微調整レバー７０を移動机１の左右に２つ設けたが、微調整レバー７０は中央に１つ設けるようにしてもよい。
【図面の簡単な説明】
【００９８】
【図１】移動机１の構成を示す側面図である。
【図２】移動机１の構成を示す斜視図である。
【図３】移動机１の脚部４の外観を示す斜視図及び分解斜視図である。
【図４】連動機構の構成を示す分解斜視図である。
【図５】昇降機構２０の構成を示す斜視図及び分解斜視図である。
【図６】天板２が使用位置にあるときの移動机１の正面図である。
【図７】天板２が収納位置にあるときの移動机１の側面図である。
【図８】微調整レバー７０が操作されたときの移動机１の側面図である。
【符号の説明】
【００９９】
１…移動机、２…天板、４…脚部、６…脚柱、６ａ…ボス受け部、６ｂ…ねじ孔、８…脚座、１０…キャスタ、１４…框パイプ、１６…框プレート、１６ａ…挿通孔、１６ｂ…挿通孔、１６ｃ…第１凸部、１６ｄ…第２凸部、１６ｅ…窪み、１８…ボルト、２０…昇降機構、３０…天板支持部、３２…角パイプ、３２ａ…ねじ、３２ｂ…ねじ、３２ｃ…挿通孔、３４…天板受け金具、３４ａ…挿通孔、３４ｂ…挿通孔、３４ｃ…挿通孔、３４ｄ…第１平面部、３４ｅ…第２平面部、３４ｆ…挿通孔、３６…軸受け金具、３６ａ…軸受けボス、３６ｂ…凸部、３６ｃ…挿通孔、３６ｄ…挿通孔、３８…ボルト、４０…ナット、５２…ロックレバー、５４…ロックプレート、５４ａ…係合溝、５６…ボルト、５８…ロックバー、６０…ロック連動パイプ、６２…ボルト、６４…ナット、６６…コイルスプリング、７０…微調整レバー、７０ａ…レバー部、７０ｂ…係止孔、７０ｃ…ざぐり、７２…リンク部材、７２ａ…第１平面部、７２ｂ…第２平面部、７２ｃ…挿通孔、７２ｄ…長孔、７４…回転金具、７４ａ…第１平面部、７４ｂ…係止孔、７４ｃ…ピン孔、７６…微調整カム、７６ａ…第１平面部、７６ｂ…第２平面部、７６ｃ…係合孔、７６ｄ…ピン孔、７８…微調整キー、７８ａ…ねじ孔、８０…ボルト、８２…フロート連動パイプ、８２ａ…挿通孔、８４…ボルト、８６…ナット、８８…ピン、９０…ピン、９２…フロートキー、９２ａ…係合溝、９２ｂ…円柱部、９４…ボルト、９６…昇降カム、９８…ロッド、１００…ピン、１０２…ピン、１０４…テコ、１０６…浮動脚、１０８…フロートリンク、１１０…ピン、１１２…ピン、１１４…ピン
【図１】
2008104793.tif 000003
【図２】
2008104793.tif 000004
【図３】
2008104793.tif 000005
【図４】
2008104793.tif 000006
【図５】
2008104793.tif 000007
【図６】
2008104793.tif 000008
【図７】
2008104793.tif 000009
【図８】
2008104793.tif 000010